(57)【要約】【課題】ルアー等の被動体に所望の動きを容易にさせることができる釣り用リズム発信器及び釣り用リールを提供する。【解決手段】推奨リトリーブスピードを設定するためのリトリーブスピード設定部と、リールのハンドル一回転あたりの巻き取り長さを設定するための巻き取り長さ設定部とを備えている。推奨リトリーブスピードと巻き取り長さに基づいて中央処理装置５がリールの巻き取りリズムを算出し、算出した巻き取りリズムに基づいてスピーカ３が報知信号を発信する。好ましくは、ロッドアクションに関するリズム情報を設定するためのアクション設定部を備えている。【選択図】図２
2015100295.tif 000002
【特許請求の範囲】
【請求項１】
リールから放出されたラインを巻き取ることでルアー等の被動体を動かして行う釣りにおいて使用される釣り用リズム発信器であって、
被動体が所望の動きをするときの推奨リトリーブスピードとリールのハンドル一回転あたりの巻き取り長さに基づいてリールの巻き取りリズムを算出する制御部と、該制御部が算出した巻き取りリズムに基づいて報知信号を発信する発信部とを備えていることを特徴とする釣り用リズム発信器。
【請求項２】
制御部は、前記推奨リトリーブスピードと前記巻き取り長さとに基づいて基本となる巻き取りリズムを算出すると共に、該基本の巻き取りリズムの中にロッドアクションのリズムを混在させた複合巻き取りリズムを作成し、該複合巻き取りリズムに基づいて発信部が報知信号を発信する請求項１記載の釣り用リズム発信器。
【請求項３】
前記推奨リトリーブスピードを設定するためのリトリーブスピード設定部と、前記巻き取り長さを設定するための巻き取り長さ設定部とを備え、設定された推奨リトリーブスピードと巻き取り長さとに基づいて制御部がリールの巻き取りリズムを算出する請求項１又は２記載の釣り用リズム発信器。
【請求項４】
ロッドアクションに関するリズム情報を設定するためのアクション設定部を備え、制御部は、前記基本の巻き取りリズムの中に、設定されたロッドアクションのリズムを混在させた複合巻き取りリズムを作成する請求項２記載の釣り用リズム発信器。
【請求項５】
発信部は、複合巻き取りリズムのうち、基本の巻き取りリズムについては第一の報知信号を発信し、ロッドアクションのリズムについては第一の報知信号とは異なる第二の報知信号を発信する請求項２記載の釣り用リズム発信器。
【請求項６】
発信部は、音、光、振動のうち少なくとも一つの報知信号を発信する請求項１乃至５の何れかに記載の釣り用リズム発信器。
【請求項７】
ルアー等の被動体が所望の動きをするときの推奨リトリーブスピードとリールのハンドル一回転あたりの巻き取り長さに基づいてリールの巻き取りリズムを算出する制御部と、該制御部が算出した巻き取りリズムに基づいて報知信号を発信する発信部とを備えていることを特徴とする釣り用リール。
【請求項８】
前記推奨リトリーブスピードを設定するためのリトリーブスピード設定部と、前記巻き取り長さを記憶する巻き取り長さ記憶部とを備え、設定された推奨リトリーブスピードと記憶している巻き取り長さに基づいて制御部がリールの巻き取りリズムを算出する請求項７記載の釣り用リール。
【発明の詳細な説明】
【技術分野】
【０００１】
本発明は、リールから放出されたラインを巻き取ることでルアー等の被動体を動かす釣りにおいて使用される釣り用リズム発信器、及び、釣り用リールに関する。
【背景技術】
【０００２】
例えばルアーフィッシングの場合、非常に多くのルアーが存在しており、数多くのルアーの中から使用するルアーを選択することになる。これらのルアーが所望の動きをするときのリトリーブスピードはそれぞれ異なっており、ある一定のスピード以上になるとバランスが崩れて所望の動きができなくなり、逆に所定値以下のスピードになっても所望の動きができなくなる。このように所望の動きをするときのリトリーブスピードはルアー毎に異なっており、ルアー固有のものである。
【０００３】
従って、釣り人は、例えば購入したルアーを初めて使用する際には、そのルアーが所望の動きをするときのリトリーブスピードを探りながら釣りを行うことになる。即ち、リトリーブスピードを速くしてみたり、逆に遅くしてみたりしながら、そのルアーが所望の動きをするときのリトリーブスピードを感覚によって把握していくのである。そして、感覚によって把握したリトリーブスピードを頭に記憶しておいて、次回以降の釣行に利用しようとする。
【０００４】
しかしながら、購入したルアーを最初に使用するときからそのルアーに所望の動きをさせることは極めて難しい。また、ルアーが所望の動きをするときのリトリーブスピードを把握するという作業は釣り人の感覚によるところが大きいために、把握するリトリーブスピードが釣り人毎にばらつくことにもなり、ベテランの人と初心者とでも異なってくる。また、把握したリトリーブスピードを正確に記憶しておくことも難しい。更には、リール毎にハンドル一回転あたりの巻き取り長さも異なるために、使用するリールが変われば、ハンドルの回転スピードもそれに応じて変化させなければならないという難しさもある。このようにルアーが所望の動きをするようにリールのハンドルの回転スピードを調整して、リトリーブスピードを適切なスピードに合わせていくことは困難である。
【先行技術文献】
【特許文献】
【０００５】
【特許文献１】特開２００２−１８６３８８号公報
【発明の概要】
【発明が解決しようとする課題】
【０００６】
それゆえに本発明は上記従来の問題点に鑑みてなされ、ルアー等の被動体に所望の動きを容易にさせることができる釣り用リズム発信器及び釣り用リールを提供することを課題とする。
【課題を解決するための手段】
【０００７】
本発明は上記課題を解決すべくなされたものであって、本発明に係る釣り用リズム発信器は、リールから放出されたラインを巻き取ることでルアー等の被動体を動かす釣りにおいて使用される釣り用リズム発信器であって、被動体が所望の動きをするときの推奨リトリーブスピードとリールのハンドル一回転あたりの巻き取り長さに基づいてリールの巻き取りリズムを算出する制御部と、該制御部が算出した巻き取りリズムに基づいて報知信号を発信する発信部とを備えていることを特徴とする。
【０００８】
被動体が所望の動きをするときのリトリーブスピードは、被動体毎に異なるものであって被動体固有のものである。その被動体が所望の動きをするときのリトリーブスピードを推奨リトリーブスピードと称することにする。被動体が所望の動きをするときのリトリーブスピードには通常一定の範囲があり、これ以上速くなると所望の動きができなくなるという上限のリトリーブスピードもあれば、逆にこれ以上遅くなると所望の動きができなくなるという下限のリトリーブスピードもある。推奨リトリーブスピードは、この一定の範囲内のリトリーブスピードであればよく、上限のリトリーブスピードであってもよいし、下限のリトリーブスピードであってもよいし、また、それらの間に位置する中間のリトリーブスピードであってもよい。
【０００９】
この推奨リトリーブスピードの情報は、ルアー等の被動体を製作する製作者、例えばルアーメーカー等から得ることができる。即ち、被動体の製作者は、フィールドテスト等の種々のテストを繰り返して最終の仕様を決定するため、被動体が所望の動きをするときのリトリーブスピードを容易に把握することができる。従って、被動体が所望の動きをする一定範囲のリトリーブスピードを釣り人に提供することができ、また、一定範囲のリトリーブスピードのうちの所定値を推奨リトリーブスピードとして提供することもできる。また、提供された一定範囲のリトリーブスピードのうちの任意の値を釣り人が選択してそれを推奨リトリーブスピードとすることもできる。
【００１０】
そのようにして得られた被動体の推奨リトリーブスピードと、使用するリールのハンドル一回転あたりの巻き取り長さから、制御部がリールの巻き取りリズムを算出する。尚、リールのハンドル一回転あたりの巻き取り長さは、スプールに巻いているラインの巻き量によって多少変化するが、一般的には最大の巻き量に近い巻き量で使用されることが多いため、例えば最大の巻き量での巻き取り長さ、即ち、最大巻き取り長さとすることができる。そして、例えばリールの巻き取り長さが７０ｃｍであって、被動体の推奨リトリーブスピードが７０ｃｍ／秒であれば、一秒間に一回の割合でリールのハンドルを回転させればよく、被動体の推奨リトリーブスピードが３５ｃｍ／秒であれば、二秒間に一回の割合でリールのハンドルを回転させればよい。従って、制御部は、被動体の推奨リトリーブスピードが７０ｃｍ／秒であれば毎分６０回という巻き取りリズムを算出し、被動体の推奨リトリーブスピードが３５ｃｍ／秒であれば毎分３０回という巻き取りリズムを算出する。そして、算出された巻き取りリズムに基づいて発信部が報知信号を発信する。例えば毎分６０回という巻き取りリズムであれば、発信部は毎分６０回というリズムで報知信号を発信することになる。釣り人は、発信部から発信された報知信号を頼りにしてリールのハンドルを回転させることで、被動体に所望の動きを容易且つ確実にさせることができる。
【００１１】
特に、制御部は、前記推奨リトリーブスピードと前記巻き取り長さとに基づいて基本となる巻き取りリズムを算出すると共に、該基本の巻き取りリズムの中にロッドアクションのリズムを混在させた複合巻き取りリズムを作成し、該複合巻き取りリズムに基づいて発信部が報知信号を発信することが好ましい。
【００１２】
一定のリトリーブスピードとする、いわゆるタダ巻きではなく、トゥイッチ等のロッドアクションを加えることも多い。このように被動体にロッドアクションを加えたい場合には、ロッドアクションに関するリズム情報（アクションリズム情報）を加味する。アクションリズム情報としては、例えば、ロッドアクションがトゥイッチであって、リールのハンドルを例えば五回転させる毎に一回の割合でロッドを二回トゥイッチさせるとすれば、「リールのハンドルを五回転させる毎に一回の割合でロッドを二回トゥイッチさせる」というアクションリズム情報となる。制御部は、基本の巻き取りリズムにアクションリズム情報を加味した複合巻き取りリズムを作成する。そして、その複合巻き取りリズムに基づいて発信部から報知信号が発信されるので、釣り人は、その報知信号を頼りにして、ロッドアクションを入れながらリールのハンドルを所定のリズムで回転させることができる。
【００１３】
特に、前記推奨リトリーブスピードを設定するためのリトリーブスピード設定部と、前記巻き取り長さを設定するための巻き取り長さ設定部とを備え、設定された推奨リトリーブスピードと巻き取り長さとに基づいて制御部がリールの巻き取りリズムを算出することが好ましい。リトリーブスピード設定部は、推奨リトリーブスピードを数値として入力する構成であってもよいし、予め一又は複数の被動体とその推奨リトリーブスピードとが対応付けられた被動体情報テーブルを記憶する記憶部を備えて、記憶部が記憶している被動体の中から釣り人が任意のものを選択することによって、推奨リトリーブスピードを設定する構成であってもよい。尚、釣り人が被動体を選択する場合、選択された被動体に対応する推奨リトリーブスピードを制御部が被動体情報テーブルから読み出す。また、記憶部が記憶している被動体を表示するための表示部を備えることも好ましい。巻き取り長さ設定部についても同様であって、巻き取り長さを数値として入力する構成であってもよいし、予め一又は複数のリールとその巻き取り長さとが対応付けられたリール情報テーブルを記憶する記憶部を備えて、記憶部が記憶しているリールの中から釣り人が任意のものを選択することによって、巻き取り長さを設定する構成であってもよい。尚、釣り人がリールを選択する場合、選択されたリールに対応する巻き取り長さを制御部がリール情報テーブルから読み出す。また、記憶部が記憶しているリールを表示するための表示部を備えることも好ましい。
【００１４】
例えば新しく入手した被動体を使用する場合、その被動体の推奨リトリーブスピードをリトリーブスピード設定部から入力して設定することができる。また、既に所有している被動体をリスト表示させるようにすれば、その中から使用する被動体を選択することによって推奨リトリーブスピードを設定することができる。同様に、使用するリールの巻き取り長さを巻き取り長さ設定部から入力して設定することができ、また、複数のリールを所有している場合には、それらのリールを一覧表示させるようにすれば、その中から使用するリールを選択することによって巻き取り長さを設定することができる。このように、推奨リトリーブスピードと巻き取り長さをそれぞれ設定する構成とすれば、被動体とリールの様々な組み合わせに容易に対応することができる。そして、使用する被動体やリールに対応した巻き取りリズムが算出され、算出された巻き取りリズムに基づいて発信部が報知信号を発信するので、釣り人は、使用する被動体やリールが変わっても、適切にリールのハンドルを回転させて被動体に所望の動きをさせることができる。
【００１５】
また、ロッドアクションに関するリズム情報を設定するためのアクション設定部を備えることも好ましい。アクション設定部は、ロッドアクションに関するリズム情報（アクションリズム情報）を数値として入力する構成であってもよいし、予め一又は複数のロッドアクションとそのアクションリズム情報とが対応付けられたアクション情報テーブルを記憶する記憶部を備えて、その記憶部が記憶しているロッドアクションを表示部に表示させると共にその中から釣り人が任意のものを選択することによってアクションリズム情報を設定する構成であってもよい。
【００１６】
例えば、予め記憶している複数種類のロッドアクションの中から釣り人が任意に選択できるようにしておくことが好ましい。またロッドアクションについての詳細、例えば、上述したようなトゥイッチであれば「リールのハンドル五回転毎に二回」というように、リールのハンドルの回転数とトゥイッチの回数をそれぞれ入力できるようにしておくことも好ましい。また、ロッドアクションの種類やその詳細をアクション情報テーブルとして記憶する記憶部を備えておき、該記憶部が記憶するロッドアクションの中から釣り人が任意のものを選択するようにしてもよい。このように複数種類のアクションリズム情報を記憶する記憶部を備えて、該記憶部が記憶している複数種類のアクションリズム情報から任意のアクションリズム情報を選択する構成とすることが好ましい。何れにしても、アクションリズム情報が設定されると、設定されたアクションリズム情報を加味した複合巻き取りリズムを制御部が作成し、その複合巻き取りリズムに基づいて発信部から報知信号が発信されるので、釣り人は、その報知信号を頼りにして、ロッドアクションを入れつつリールのハンドルを所定のリズムで回転させることができる。
【００１７】
更に、発信部は、複合巻き取りリズムのうち、基本の巻き取りリズムについては第一の報知信号を発信し、ロッドアクションのリズムについては第一の報知信号とは異なる第二の報知信号を発信することが好ましい。この場合、釣り人は、ロッドアクションを加えながらリールのハンドルを回転させる際に、第一の報知信号を頼りにしてリールのハンドルを回転させつつ、第二の報知信号を頼りにしてロッドアクションを加えることができる。即ち、第一の報知信号とは異なる第二の報知信号によって、ロッドアクションを加えるタイミングを容易に把握することができる。
【００１８】
特に、発信部は、音、光、振動のうち少なくとも一つの報知信号を発信することが好ましい。報知信号が音や光、振動であれば、釣りの邪魔になりにくく、集中して釣りを行うことができ、暗い場所でも報知信号を容易に認識することができる。
【００１９】
また、本発明に係る釣り用リールは、ルアー等の被動体が所望の動きをするときの推奨リトリーブスピードとリールのハンドル一回転あたりの巻き取り長さに基づいてリールの巻き取りリズムを算出する制御部と、該制御部が算出した巻き取りリズムに基づいて報知信号を発信する発信部とを備えていることを特徴とする。
【００２０】
特に、前記推奨リトリーブスピードを設定するためのリトリーブスピード設定部と、前記巻き取り長さを記憶する巻き取り長さ記憶部とを備え、設定された推奨リトリーブスピードと記憶している巻き取り長さに基づいて制御部がリールの巻き取りリズムを算出することが好ましい。この構成の場合には、巻き取り長さ記憶部がハンドル一回転あたりの巻き取り長さを記憶しているので、釣り人は、そのリールのハンドル一回転あたりの巻き取り長さを別途設定する必要がなく、使用する被動体の推奨リトリーブスピードをリトリーブスピード設定部により設定することにより、巻き取りリズムが自動的に算出される。尚、被動体に与えるアクションに関するリズム情報を設定するためのアクション設定部を備えることも好ましい。
【発明の効果】
【００２１】
以上のように、被動体が所望の動きをするときの推奨リトリーブスピードとリールのハンドル一回転あたりの巻き取り長さに基づいてリールの巻き取りリズムが算出されて、該巻き取りリズムに基づいて報知信号が発信されるので、その報知信号を頼りにしてリールのハンドルを回転操作することにより、被動体に所望の動きを容易にさせることができる。
【図面の簡単な説明】
【００２２】
【図１】本発明の一実施形態における釣り用リズム発信器を示す正面図。
【図２】同釣り用リズム発信器の制御ブロック図。
【図３】（ａ）及び（ｂ）は同釣り用リズム発信器の表示画面を示す正面図。
【図４】同釣り用リズム発信器の処理内容を示すフローチャート。
【図５】（ａ）は本発明の他の実施形態における釣り用リズム発信器の記憶部に記憶されているルアー情報テーブルで、（ｂ）は同記憶部に記憶されているリール情報テーブルである。
【図６】同釣り用リズム発信器の表示画面を示す正面図。
【図７】同釣り用リズム発信器の処理内容を示すフローチャート。
【発明を実施するための形態】
【００２３】
以下、本発明の一実施形態に係る釣り用リズム発信器について図１〜図４を参酌しつつ説明する。本実施形態の釣り用リズム発信器１の正面図を図１に示している。該釣り用リズム発信器１は、釣り場にも携帯できる携帯用のものであり、キャストやフォールによってリールのスプールから放出されたラインを、リールのハンドルを回転させて巻き取ることで、ルアー等の被動体を、横即ち手前に向かって動かして、あるいは、縦即ち上方に向かって動かして行う釣りにおいて使用される。その用途は種々であってよく、例えば、ルアーフィッシング用とすることができる。以下、被動体がルアーである場合を例にして説明する。
【００２４】
釣り用リズム発信器１は、入力部と表示部とを兼ねたタッチパネル２と、発信部としてのスピーカ３とを外部に表出して備えると共に、記憶部としてのメモリ４及び制御部としての中央処理装置５を内蔵している。
【００２５】
中央処理装置５には、図２に示すように、タッチパネル２とメモリ４とスピーカ３と通信制御部６が接続されている。該タッチパネル２は、各種の情報を設定すべく入力するための入力部と、各種の情報を表示するための表示部として機能する。例えば、タッチパネル２の表示画面には、ルアーの推奨リトリーブスピードを設定するためのリトリーブスピード設定部２１と、リールのハンドル一回転あたりの巻き取り長さを設定するための巻き取り長さ設定部２２と、ロッドアクションに関するリズム情報を入力するためのアクション設定部２３とが設けられる。
【００２６】
タッチパネル２の表示画面の一例を図３に示している。リトリーブスピード設定部２１には、例えばルアーのメーカーから提供されている推奨リトリーブスピードを数値として入力することができる。即ち、本実施形態においてリトリーブスピード設定部２１は、ルアーの推奨リトリーブスピードを入力するためのリトリーブスピード入力部として機能する。ここで、推奨リトリーブスピードとは、そのルアーが所望の動きをするときのリトリーブスピードである。ルアーが所望の動きをするときのリトリーブスピードには一定の幅があるが、その最小値を推奨リトリーブスピードとしてもよいし、その最大値を推奨リトリーブスピードとしてもよいし、また、その中間値を最適値とすると共にそれを推奨リトリーブスピードとしてもよい。
【００２７】
巻き取り長さ設定部２２には、使用するリールのハンドル一回転あたりの巻き取り長さを入力することができる。即ち、本実施形態において巻き取り長さ設定部２２は、巻き取り長さを入力するための巻き取り長さ入力部として機能する。この巻き取り長さとしては例えばスプールにラインを最大限巻いた状態における巻き取り長さを使用することができる。また、スプールにラインを最大限巻いた状態ではなく、釣り人がスプールにラインを巻いている実際の使用状態における巻き取り長さを使用することもできる。また更に、リールのメーカーから提供される巻き取り長さを使用することもできる。
【００２８】
尚、推奨リトリーブスピードや巻き取り長さの入力方法は任意であって、例えば、入力箇所を一回タッチすると、キー入力モードとなってテンキーが表示されてそこから数値を入力するようにしてもよいし、ドロップダウンリストが表示されて、例えば１ｃｍ単位で表示されている数値から選択して入力したり、あるいは代表的な数値が表示されてその中から選択して入力したりしてもよい。
【００２９】
また、アクション設定部２３はロッドアクションの有無を釣り人が選択して入力することができる構成とされることが好ましく、更には、ロッドアクションを付ける場合には、そのロッドアクションの種類を選択できるように構成されることも好ましい。例えば、図３（ａ）のように「なし」と「トゥイッチ」の文字を表示して、釣り人が両者のうちから選択できるようにする。ロッドアクションを付けない場合が「なし」であり、ロッドアクションを付ける場合が「トゥイッチ」となる。勿論、「トゥイッチ」の他に「ジャーク」等の他のロッドアクションの種類を表示してそれらの中から任意のロッドアクションを選択できるようにしてもよい。
【００３０】
アクション設定部２３において「トゥイッチ」を選択すると、更に、図３（ｂ）のような表示となって、アクションリズム情報の詳細を入力できるようにすることが好ましい。例えば、アクション設定部２３において「トゥイッチ」を選択した場合、図３（ｂ）のようにリールのハンドルの回転数を入力するためのハンドル回転数入力部２４と、トゥイッチの回数を入力するためのトゥイッチ回数入力部２５とが表示されて、それらの部分にそれぞれ数字を入力する構成とすることができる。例えば、リールのハンドルを五回転させる毎に一回の割合でロッドを二回トゥイッチさせる場合には、「リールのハンドルを五回転させる毎に一回の割合でロッドを二回トゥイッチさせる」というアクションリズム情報となるので、ハンドル回転数入力部２４には「５」を入力し、トゥイッチ回数入力部２５には「２」を入力する。尚、リールのハンドルの回転数とトゥイッチの回数とをそれぞれ個別に入力する構成とするのではなく、リールのハンドルの回転数とトゥイッチの回数の組み合わせを複数種類予め記憶しておき、それらをリスト表示させて、その中から釣り人が選択入力する構成としてもよいし、「トゥイッチ」を選択すれば自動的にリールのハンドルの回転数とトゥイッチの回数が所定値に設定される構成であってもよい。
【００３１】
中央処理装置５は、リトリーブスピード設定部２１から入力された推奨リトリーブスピードと、巻き取り長さ設定部２２から入力された巻き取り長さとに基づいて、リールの巻き取りリズムを算出する。また、中央処理装置５は、アクション設定部２３からアクションリズム情報が入力された場合には、アクションリズム情報を加味した複合巻き取りリズムを作成する。即ち、アクション設定部２３からアクションリズム情報が入力された場合には、中央処理装置５は、推奨リトリーブスピード設定部２１から入力された推奨リトリーブスピードと巻き取り長さ設定部２２から入力された巻き取り長さとに基づいて基本となる巻き取りリズムを算出すると共に、該基本の巻き取りリズムの中にロッドアクションのリズムを混在させた複合巻き取りリズムを作成する。
【００３２】
メモリ４には、制御プログラムが記憶されている。スピーカ３は、巻き取りリズムに基づいて報知信号としての音を発信する。例えば、算出された巻き取りリズムが毎分６０回であれば、一秒間に一回の割合で毎分６０回の音を発する。この音は、単発音等、種々のものであってよい。尚、スピーカ３は、スピーカ本体と、中央処理装置５から送られてきた巻き取りリズムに基づいてスピーカ本体を駆動制御する駆動制御部とを備えている。
【００３３】
通信制御部６は、携帯電話等の携帯情報端末８を制御するためものである。該通信制御部６には、通信Ｉ／Ｆ７が接続されており、該通信Ｉ／Ｆ７を介してインターネット接続機能を有する携帯情報端末８が接続できるようになっている。インターネットを介して携帯情報端末８に種々の情報をダウンロードして、そのダウンロードした各種の情報をメモリ４に記憶しておくことができる。種々の情報としては、ルアーの推奨リトリーブスピードやそのルアーに適したロッドアクション等のルアー情報（被動体情報）や、リールのハンドル一回転あたりの巻き取り長さやスプール径、ギア比等のリール情報等がある。
【００３４】
次に、制御プログラムに基づいて行われる主な制御処理について図４に示すフローチャートを参酌しつつ説明する。まず、釣り人が、使用するルアーの推奨リトリーブスピードを入力し（Ｓ１）、続いて、使用するリールのハンドル一回転あたりの巻き取り長さを入力する（Ｓ２）。また続いて、アクションリズム情報を入力する（Ｓ３）。即ち、ロッドアクションの有無、並びに、ロッドアクションを付加する場合にはその詳細情報を入力する。
【００３５】
上述した例では、アクション設定部２３において「なし」が選択された場合には、中央処理装置５は、入力された推奨リトリーブスピードと巻き取り長さに基づいてリールの巻き取りリズムを算出し、その巻き取りリズムをスピーカ３に送る（Ｓ４）。一方、アクション設定部２３において「トゥイッチ」が選択された場合には、中央処理装置５は、ハンドル回転数入力部２４に入力されたハンドル回転数と、トゥイッチ回数入力部２５に入力されたトゥイッチ回数とを考慮して複合巻き取りリズムを作成し、その複合巻き取りリズムをスピーカ３に送る（Ｓ４）。即ち、中央処理装置５は、入力された推奨リトリーブスピードと巻き取り長さに基づいて基本となる巻き取りリズムを算出すると共に、該基本の巻き取りリズムの中にロッドアクション「トゥイッチ」のリズムを混在させた複合巻き取りリズムを作成する。そして、スピーカ３は中央処理装置５から送られてきた巻き取りリズムに基づいて音を出力する（Ｓ５）。尚、図４では推奨リトリーブスピードを先に入力し、その後に巻き取り長さを入力しているが、順序は逆であってもよい。また、アクション情報から先に入力するようにしてもよい。
【００３６】
例えば釣り人が推奨リトリーブスピードとして５０ｃｍ／秒、リールのハンドル一回転あたりの巻き取り長さとして５０ｃｍをそれぞれ入力し、ロッドアクション「なし」を選択すると、一秒間あたり一回即ち毎分６０回という巻き取りリズムが算出されて、スピーカ３から毎分６０回の音が出力されることになる。従って、釣り人は、スピーカ３から毎分６０回というリズム、テンポで発信される音を頼りにしてリールのハンドルを回転させることができる。同様に、釣り人が推奨リトリーブスピードとして２５ｃｍ／秒、リールのハンドル一回転あたりの巻き取り長さとして７５ｃｍをそれぞれ入力し、ロッドアクション「なし」を選択すると、一秒間あたり１／３回、即ち、三秒間に一回の割合であって毎分２０回という巻き取りリズムが算出されて、スピーカ３からは毎分２０回の音が出力されることになる。
【００３７】
このように使用するルアーとリールに応じてスピーカ３から適切な巻き取りリズムに合わせて音が出力されるので、釣り人は、スピーカ３から出る音に合わせてリールのハンドルを回転させてラインを巻き取っていけばよく、初めて使用するルアーであっても、また、使用するリールが変わった場合でも、ルアーに正確に所望の動きをさせることができる。尚、算出された巻き取りリズム、例えば毎分６０回という数値を表示画面に表示するようにしてもよい。
【００３８】
一方、釣り人が推奨リトリーブスピードとして５０ｃｍ／秒、リールのハンドル一回転あたりの巻き取り長さとして５０ｃｍをそれぞれ入力すると共に、ロッドアクション「トゥイッチ」を選択してハンドル回転数「５」とトゥイッチ回数「２」を入力した場合には、一秒間あたり一回という基本の巻き取りリズムが算出されると共に、その基本の巻き取りリズムに、ハンドル回転数５回あたりに二回の割合というトゥイッチのリズムを混在させた複合巻き取りリズムが作成される。この場合、スピーカ３からは一秒毎に一回ずつ５回続けて音が出力された後、それよりも短い間隔で二回連続して音が出力され、再び、一秒毎に一回ずつ５回続けて音が出力され、また短い間隔で二回連続して音が出力される。このようなサイクルが連続的に繰り返される。従って、釣り人は、スピーカ３から出る音に合わせてリールのハンドルを５回連続して回転させた後、ロッドを短く二回連続して振ってトゥイッチというロッドアクションを加えることができ、その動作を繰り返すことで、ルアーに所望の動きをさせつつロッドアクションも付与することができる。尚、基本となる巻き取りリズムを連続した毎分６０回として、その五回に一回の割合で短く二回のトゥイッチのリズムを混在させて複合巻き取りリズムとしてもよい。その場合には、釣り人は、スピーカ３から出る音に合わせてリールのハンドルを毎分６０回という速さで連続的に回転させつつ、ハンドル五回転に一回の割合でロッドを短く二回連続して振ってロッドアクションを加えることになる。
【００３９】
尚、ロッドアクションを加える場合においては、スピーカは、複合巻き取りリズムのうち、基本の巻き取りリズムについては第一の音を発信し、ロッドアクションのリズムについては第一の音とは異なる第二の音を発信することが好ましい。異なる種類の音とは、例えば、音色や音高、音程、音圧等が異なるものである。上述した例であれば、一秒毎に一回ずつ５回続けて第一の音がスピーカ３から出力されて釣り人にリールのハンドルを回転させるリズムを知らせ、それよりも短い間隔で二回連続して第二の音がスピーカ３から出力されて釣り人にトゥイッチを入れるタイミングを知らせる。これにより釣り人はロッドアクションを加えるタイミングを容易に知ることができ、初心者であっても容易にロッドアクションを加えることができる。
【００４０】
尚、本実施形態では、推奨リトリーブスピードをリトリーブスピード設定部２１に数値として直接入力する構成であったが、予め一又は複数のルアーとその推奨リトリーブスピードとが対応付けられたルアー情報テーブル３０をメモリ４に記憶しておき、記憶しているルアーの中から釣り人が任意のものを選択することによって推奨リトリーブスピードを設定する構成であってもよい。巻き取り長さについても同様であって、予め一又は複数のリールとその巻き取り長さとが対応付けられたリール情報テーブル３１をメモリ４に記憶しておき、記憶しているリールの中から釣り人が任意のものを選択することによって巻き取り長さを設定する構成であってもよい。
【００４１】
図５（ａ）及び（ｂ）にそれぞれルアー情報テーブル３０とリール情報テーブル３１の具体例を示している。ルアー情報テーブル３０には、所有するルアーの種類と推奨リトリーブスピードとが対応付けられて格納されている。尚、新しいルアーの種類とその推奨リトリーブスピードを別途入力したり、インターネット経由でダウンロードしたりして、順次ルアー情報テーブル３０に追加していくことが好ましい。リール情報テーブル３１も同様であって、所有するリールの種類とその巻き取り長さとが対応付けられて格納されている。尚、新しいリールの種類とその巻き取り長さを別途入力したり、インターネット経由でダウンロードしたりして、順次リール情報テーブル３１に追加していくことが好ましい。本実施形態では、三種類のルアーと三種類のリールである場合を例示しているが、無論、この数は任意である。
【００４２】
この実施形態におけるタッチパネル２の表示画面を図６に示している。表示画面には、リトリーブスピード設定部２１と巻き取り長さ設定部２２とが設けられている。リトリーブスピード設定部２１は、上記実施形態のように推奨リトリーブスピードを数値として直接入力する構成ではなく、メモリ４のルアー情報テーブル３０に記憶している三種類のルアーの中から釣り人が任意のルアーの種類を入力する構成である。即ち、リトリーブスピード設定部２１は、使用するルアーを特定すべくそのルアーの種類を入力するためのルアー情報入力部（被動体情報入力部）として機能している。リトリーブスピード設定部２１にはドロップダウンリストを表示してルアー情報テーブル３０に記憶されている三種類のルアーを表示してその中から選択できるように構成することが好ましい。また、ルアーの種類を特定する情報、例えば、「Ａ」「Ｂ」「Ｃ」というような文字や数字、記号、あるいは製品名や製品番号等を入力する構成としてもよい。また、ルアー情報テーブル３０にはない新しいルアーを選択できるようにすることも好ましい。即ち、新しいルアーの情報（ルアーの種類とその推奨リトリーブスピード）をリトリーブスピード設定部２１から入力できるようにして、入力された新しいルアーの情報をルアー情報テーブル３０に追加するようにしてもよい。
【００４３】
巻き取り長さ設定部２２も同様であって、上記実施形態のように巻き取り長さを数値として直接入力する構成ではなく、メモリ４のリール情報テーブル３１に記憶している三種類のリールの中から釣り人が任意のリールの種類を入力する構成である。即ち、巻き取り長さ設定部２２は、使用するリールを特定すべくそのリールの種類を入力するためのリール情報入力部として機能している。巻き取り長さ設定部２２にはドロップダウンリストを表示してリール情報テーブル３１に記憶されている三種類のリールを表示してその中から選択できるように構成することが好ましい。また、リールの種類を特定する情報、例えば、「１」「２」「３」というような文字や数字、記号、あるいは製品名や製品番号等を入力する構成としてもよい。また、リール情報テーブル３１にはない新しいリールを選択できるようにすることも好ましい。即ち、新しいリールの情報（リールの種類とその巻き取り長さ）を巻き取り長さ設定部２２から入力できるようにして、入力された新しいリールの情報をリール情報テーブル３１に追加するようにしてもよい。
【００４４】
図７にメモリ４に記憶している制御プログラムに基づいて行われる主な制御処理のフローチャートを示している。まず、釣り人が、使用するルアーを選択してその情報を入力する（Ｓ１１）。中央処理装置５は、選択されたルアーに対応した推奨リトリーブスピードをルアー情報テーブル３０から読み出す（Ｓ１２）。続いて、釣り人が、使用するリールを選択してその情報を入力する（Ｓ１３）。中央処理装置５は、選択されたリールに対応した巻き取り長さをリール情報テーブル３１から読み出す（Ｓ１４）。そして、中央処理装置５は、ルアー情報テーブル３０から読み出した推奨リトリーブスピードとリール情報テーブル３１から読み出した巻き取り長さに基づいて巻き取りリズムを算出してそれをスピーカ３に送り（Ｓ１５）、スピーカ３は、送られてきた巻き取りリズムに基づいて音を出力する（Ｓ１６）。
【００４５】
例えば、釣り人が、使用するルアーとして「ルアーＢ」を選択し、使用するリールとして「リール１」を選択した場合には、「ルアーＢ」の推奨リトリーブスピードは５０ｃｍ／秒であり、「リール１」のハンドル一回転あたりの巻き取り長さは５０ｃｍであるから、一秒間あたり一回即ち毎分６０回という巻き取りリズムが中央処理装置５によって算出されて、スピーカ３から毎分６０回の音が出力されることになる。このように釣り人は、使用するルアーとリールを特定すればよいので楽に設定作業を行うことができる。
【００４６】
尚、釣り人がルアーを選択すると、中央処理装置５がそのルアーに対応した推奨リトリーブスピードをルアー情報テーブル３０から読み出してそれを表示画面（例えばリトリーブスピード設定部２１の下）に表示するようにしてもよい。同様に、釣り人がリールを選択すると、中央処理装置５がそのリールに対応した巻き取り長さをリール情報テーブル３１から読み出してそれを表示画面（例えば巻き取り長さ設定部２２の下）に表示するようにしてもよい。そして、算出された巻き取りリズムも表示画面に表示するようにしてもよい。
【００４７】
また、各ルアーに対する推奨リトリーブスピードを一種類ではなく複数種類記憶しておくようにしてもよい。例えば、推奨リトリーブスピードとして、所定範囲のうちの中間値と上限値と下限値の三種類の数値を記憶しておいて、釣り人が三つの推奨リトリーブスピードの中から好みのものを選択できるようにしてもよい。また、所定範囲の推奨リトリーブスピードの中から任意のスピードを選択するようにしてもよい。
【００４８】
尚、算出された巻き取りリズムを任意に速くしたり遅くしたりする等調整できるようにしてもよく、そのための調整入力部をタッチパネル２に備えるようにしてもよい。例えば、標準の巻き取りリズム、速めの巻き取りリズム、遅めの巻き取りリズムという三段階の巻き取りリズムから任意選択するようにしてもよい。また、多段階に調整できる調整入力部を備えてもよい。また更に、ストップ&ゴーや、リトリーブスピードに緩急を付ける場合に対応できるように調整入力部を構成してもよい。例えばストップ&ゴーの場合にはハンドルを何回に一回の割合で停止させるかという情報を入力できるようにしたり、緩急を付ける場合にはプラスマイナス何パーセントという情報や基準値プラス何回やマイナス何回という情報等を入力できるようにしたりする。
【００４９】
尚、上記実施形態では発信部としてスピーカ３を備えていたが、スピーカ３に代えて、あるいはそれと共に発信部としてイヤホンやヘッドホンを接続可能に構成してもよく、それらから釣り人が音を聞くことができるようにしてもよい。
【００５０】
また、上記実施形態ではタッチパネル２を備えていたが、入力部と表示部とを別々に備えるようにしてもよい。表示部は省略されてもよく、入力部が各種のボタンやキー、ダイヤル等であってもよい。
【００５１】
また、報知信号として音を発する構成とする以外に、報知信号として振動や光を発する発信部の構成としてもよく、音を発しながら光も発するというように、音、振動、光を種々組み合わせてもよい。例えば、上述したようにロッドアクションを加える場合において、巻き取りリズムの音とロッドアクションのリズムの音とを互いに異なる音としたが、一方の報知信号を音として他方の報知信号を振動や光としてもよい。また、巻き取りリズムの報知信号とロッドアクションの報知信号を共に光としてその色が互いに異なるようにしてもよいし、報知信号を振動とする場合も同様である。また、音や振動、光以外に例えば所定の部材の揺動動作等の動きを報知信号として釣り人に所定のリズム、タイミングを知らせるようにしてもよい。このように発信部の構成も種々の構成であってよい。
【００５２】
尚、上記実施形態では中央処理装置５に通信制御部６が接続され、通信Ｉ／Ｆ７を介して携帯情報端末８が接続可能な構成としたが、釣り用リズム発信器１がインターネット接続機能を有する通信端末を備えるようにしてもよい。即ち、釣り用リズム発信器１が、スマートフォンやタブレット端末等の携帯情報端末であってもよい。また、有線や無線でルアーやリールの情報を入手する構成としてもよい。更に、釣り用リズム発信器１を釣竿やリール等に取り付ける構成としてもよい。また、釣り用リズム発信器１を備えた釣竿やリール、魚群探知機等の各種の釣り具としてもよい。
【００５３】
特に、巻き取りリズムを算出する制御部としての中央処理装置５や報知信号を発信する発信部としてのスピーカ３やＬＥＤ等のライト等をリールに備えるようにすることが好ましい。その場合、上述したようなリトリーブスピード設定部２１を備えて推奨リトリーブスピードを設定できるようにすることが好ましく、また、記憶部としてメモリ４を備えて、リールの巻き取り長さをメモリ４に記憶しておく、即ち、メモリ４をリールの巻き取り長さを記憶する巻き取り長さ記憶部として構成することが好ましい。更に、実際のラインの放出長さをカウントして、スプールに巻かれている糸巻き量及びその変化を考慮しつつ、巻き取り時に、スプールに巻かれている糸巻き量に応じて巻き取りリズムを調節するようにしてもよい。例えば、ルアーの飛距離が長い場合と短い場合とでは、巻き取り開始時における糸巻き量に違いがあり、同様に、水深が深い場合と浅い場合とでは、巻き取り開始時における糸巻き量に違いがある。従って、巻き取り開始時の糸巻き量を考慮して、巻き取り開始時の巻き取りリズムを調節することが好ましく、また、徐々に巻き取っていく段階に応じて糸巻き量も増加していくことからそれに応じて巻き取りリズムを徐々に遅くするようにしてもよい。尚、スプールに巻かれている糸巻き量を検出するセンサを備えて、そのセンサからの出力によって巻き取りリズムを算出したり調整したりするようにしてもよい。
【００５４】
尚、上記説明では、被動体としてルアーを例にしたが、これに限らず、鯛ラバや鯛カブラ、インチク、タチウオテンヤ等の各種のテンヤ仕掛け、タチウオのケンケン釣り仕掛け等、種々のものであってよい。
【符号の説明】
【００５５】
１    釣り用リズム発信器
２    タッチパネル（入力部及び表示部）
３    スピーカ（発信部）
４    メモリ（記憶部）
５    中央処理装置（制御部）
６    通信制御部
７    通信Ｉ／Ｆ
８    携帯情報端末
２１    リトリーブスピード設定部
２２    巻き取り長さ設定部
２３    アクション設定部
２４    ハンドル回転数入力部
２５    トゥイッチ回数入力部
３０    ルアー情報テーブル
３１    リール情報テーブル
【図１】
2015100295.tif 000003
【図２】
2015100295.tif 000004
【図３】
2015100295.tif 000005
【図４】
2015100295.tif 000006
【図５】
2015100295.tif 000007
【図６】
2015100295.tif 000008
【図７】
2015100295.tif 000009